(57)【要約】【課題】回転音Ｎｚ音を低減すると同時に、オバーオールの騒音を低減するとともに送風性能を向上する斜流または軸受ファンおよびこれを有する室外ユニットを搭載した空気調和機を提供する。【解決手段】本発明の斜流ファンまたは軸流ファンは、主翼２の外周側の弦長２−ＯＵＴ−ＣＯを、主翼２の内周側の弦長２−ＩＮ−ＣＯより長くする。すなわち、２−ＯＵＴ−ＣＯ＞２―ＩＮ―ＣＯとする。同様に、補助翼３の外周側の弦長３−ＯＵＴ−ＣＯを、補助翼３の内周側の弦長３−ＩＮ−ＣＯより長くする。すなわち、３−ＯＵＴ−ＣＯ＞３−ＩＮ―ＣＯとする。主翼の前縁を５−２Ｌ、補助翼の前縁を５−３Ｌとすると、いずれも、半径方向に対して回転方向に前傾した螺旋曲線となる。【選択図】図３
2013083158.tif 000002
【特許請求の範囲】
【請求項１】
円筒状のハブに、複数枚の翼を設けてなるプロペラファンにおいて、主翼を設け、前記主翼は外周側弦長がハブ側弦長より長く、前記主翼の前縁を半径方向に対して回転方向に前傾した螺旋曲線とし、前記主翼の間に補助翼を設け、前記補助翼は外周側弦長がハブ側弦長より長く、前記補助翼の前縁を回転方向に前傾した螺旋曲線とし、前記補助翼の半径方向長さが前記主翼の半径方向長さより短く、且つ、前記補助翼の羽根高さが前記主翼の羽根高さより低くしたことを特徴とする送風機羽根車。
【請求項２】
前記補助翼の形状を、前記主翼から切り抜いた形状にすることを特徴とする送風機羽根車。
【請求項３】
前記補助翼の前縁直径が、前記補助翼の後縁直径より長くなることを特徴とする請求項１及び２記載の送風機羽根車。
【請求項４】
前記主翼を２枚、補助翼を２枚とすることを特徴とする請求項１から３記載の送風機羽根車。
【発明の詳細な説明】
【技術分野】
【０００１】
本発明は、軸流ファンまたは斜流ファンおよびこれを有する室外ユニットを搭載した空気調和機に関するものである。
【背景技術】
【０００２】
従来技術について、図５、図６、図７、図８を用いて説明する。図５、図６、図７、図８は、従来技術の平面図、子午面図、翼端渦の発生状況を示した模式図、空調用送風機羽根車の動作状況を示した模式図である。
【０００３】
図５に於いて、円筒状のハブ４に、複数枚の翼を設けてなるプロペラファン１において、翼枚数が２枚からなる主翼２を設け、主翼の外周側弦長がハブ側弦長より長く、主翼２の間に翼枚数が全体として２枚からなる略扇状の補助翼３を設けている。主翼２の前縁５を半径方向に対して回転方向に前傾した直線または螺旋曲線とし、前記主翼の間に補助翼３を設け、補助翼３の前縁を半径方向の直線とし、前縁から空気が流入し、後縁から流出する。７がチップ部である。また、図６において、補助翼３の半径方向長さＬ２が主翼の半径方向長さＬ１より短く、且つ、補助翼の羽根高さＨ２が主翼の羽根高さＨ１より低く構成した空調用送風機羽根車を提供するものである。また、図７のように、翼端渦Ｄは、主翼２の前縁５の外周の角から、発生して主翼２上を移動して、主翼２の途中から剥離する。
【０００４】
この羽根車１を、図８のように適当なケ−シング９に収め、モ−タ８により回転させる事で空力仕事をさせるものである。
【０００５】
そして、この構成によって、主翼２の枚数が２枚であるので、主に空力性能に寄与する翼面積の投入量が適正であるので、流体摩擦が少なく、ファン効率が高い。また、２枚の主翼２のみでは、羽根車の回転騒音が乱流騒音より非常に高く、とても耳障りである。翼枚数ｚと回転数Ｎｒｐｍとすると、主翼２の間に設けられた補助翼３も空力仕事の寄与するので、全体として、翼枚数は４枚と言え、それぞれに空力仕事をするので、空力仕事が分散させるので、翼１枚当たりの翼面上の圧力変動のレベルが小さくなり、回転騒音Ｎｚ音
のレベルは、乱流騒音のレベルより低く、聴感も良好である。補助翼３の半径方向長さＬ２  
が主翼の半径方向長さＬ１より短く、且つ、補助翼の羽根高さＨ２が主翼の羽根高さＨ１より低いので、主翼から発生する翼端渦に補助翼が、干渉することがなく、羽根車としての騒音も低くできる。
【先行技術文献】
【特許文献】
【０００６】
【特許文献１】特許第４４９２０６０号公報
【発明の概要】
【発明が解決しようとする課題】
【０００７】
しかしながら、従来技術の軸流ファンには、次のような課題がある。従来技術の軸流ファンの主翼と補助翼の形状が異なる。特に前縁形状は回転方向に対して高性能に有利な螺旋形状を有する主翼と、直線形状を有する補助翼と大きく異なる。このような各々異なる翼で形成される流れ場は、流れの乱れが大きくなり、風量性能の低下を招く。
【０００８】
また、回転音Ｎｚ音のレベルは低減するが、一方で流れが大きく乱れることによる乱流騒音が増大して、オバーオールでの騒音レベルは増大することがある。
【０００９】
本発明は、上記従来の課題を解決するもので、回転音Ｎｚ音を低減すると同時に、オバーオールの騒音を低減するとともに送風性能を向上する斜流または軸受ファンおよびこれを有する室外ユニットを搭載した空気調和機を提供することを目的とする。
【課題を解決するための手段】
【００１０】
前記課題を解決するために、本発明は、回転駆動する円筒状のハブに、複数枚の翼を設けてなるプロペラファンにおいて、主翼を設け、前記主翼は外周側弦長がハブ側弦長より長く、前記主翼の前縁を半径方向に対して回転方向に前傾した螺旋曲線とし、前記主翼の間に補助翼を設け、前記補助翼は外周側弦長がハブ側弦長より長く、前記補助翼の前縁を回転方向に前傾した螺旋曲線とし、前記補助翼の半径方向長さが前記主翼の半径方向長さより短く、且つ、前記補助翼の羽根高さが前記主翼の羽根高さより低くする。
【００１１】
補助翼の形状を主翼から切り抜いた形状、すなわち同じプロポーションの羽根車とする。
羽根設計の考え方として、偶数個の同じ形状の翼を設計して、その半数の翼を同じ補助翼形状として抜き取る。主翼と補助翼が、同じ個数となる。また、主翼を軸中心に回転コピーすると、補助翼を完全包含する位置がある。すなわち、補助翼は、主翼の回転ピッチ角の中間に位置する。
【００１２】
前記補助翼の前縁直径が、前記補助翼の後縁直径より長くなることを特徴とする羽根車とする。
【００１３】
主翼を２枚、補助翼を２枚から構成されることを特徴とする羽根車とする。
【発明の効果】
【００１４】
円筒状のハブに、複数枚の翼を設けてなるプロペラファンにおいて、補助翼の半径方向長さが主翼の半径方向長さより短く、且つ、補助翼の羽根高さが主翼の羽根高さより低く構成することによって、主翼によって、主に空力性能が確保されて、流体摩擦が少なく、ファン効率が高い。また、主翼のみでは、羽根車の回転騒音が乱流騒音より高く、非常に耳障りである。主翼枚数ｚと回転数Ｎｒｐｍとすると、主翼の間に設けられた補助翼も空力仕事に寄与するので、全体として、翼枚数は２＊ｚ枚と言え、それぞれに空力仕事をするので、空力仕事が分散させるので、翼１枚当たりの翼面上の圧力変動のレベルが小さくなり、回転騒音Ｎｚ音のレベルは、乱流騒音のレベルより低く、聴感も良好となる。
【００１５】
補助翼の半径方向長さが主翼の半径方向長さより短く、且つ、補助翼の羽根高さが主翼の羽根高さより低いので、主翼から発生する翼端渦に補助翼が、干渉することがなく、羽根車としての騒音も低くできる。
【００１６】
主翼、補助翼ともに、前縁を回転方向の螺旋形状にすることにより、主翼間の流れ場に障害を与えることなく、円滑な流れ場を形成することができる。すなわち、両翼の前縁は、回転方向の螺旋形状であるが故に、類似の流れ場が形成されて送風性能が悪化することは無い。
【００１７】
補助翼の形状を主翼から切り抜いた形状、すなわち同じプロポーションにすることにより、主翼間の流れ場に障害を与えることなく、円滑な流れ場を形成することができる。類似の流れ場が形成されて送風性能が悪化することは無く、むしろ、最大風量性能は、翼枚数が多いために向上することになる。
【００１８】
前記補助翼の前縁直径が、前記補助翼の後縁直径より長くなることにより、徐々に径が変化するチップ部から放出される乱れた流れが不均一となり、Ｎｚ音の特異周波数が顕著にならなくなる。
【００１９】
これらの特性は、２枚の主翼と２枚の補助翼で構成されている羽根車に対して特に顕著な特性が見られる。
【図面の簡単な説明】
【００２０】
【図１】実施形態１のファンを搭載した室外機断面図
【図２】実施形態１のファンの斜視図
【図３】実施形態１のファンの正面図
【図４】実施形態１のファンの子午図
【図５】従来のファンの平面図
【図６】従来のファンの子午図
【図７】従来のファンの翼端渦模式図
【図８】従来のファンの動作状況の模式図
【発明を実施するための形態】
【００２１】
第１の発明は、回転駆動する円筒状のハブに、複数枚の翼を設けてなるプロペラファンにおいて、主翼を設け、前記主翼は外周側弦長がハブ側弦長より長く、前記主翼の前縁を半径方向に対して回転方向に前傾した螺旋曲線とし、前記主翼の間に補助翼を設け、前記補助翼は外周側弦長がハブ側弦長より長く、前記補助翼の前縁を回転方向に前傾した螺旋曲線とし、前記補助翼の半径方向長さが前記主翼の半径方向長さより短く、且つ、前記補助翼の羽根高さが前記主翼の羽根高さより低くする。
【００２２】
第２の発明は、前記補助翼の形状を主翼から切り抜いた形状、すなわち同じプロポーションの羽根車とする。
【００２３】
羽根設計の考え方として、偶数個の同じ形状の翼を設計して、その半数の翼を同じ補助翼形状として抜き取る。主翼と補助翼が、同じ個数となる。また、主翼の軸を中心に回転コピーすると、補助翼を完全包含する位置がある。すなわち、主翼の回転ピッチ角の中間に位置する。
【００２４】
第３の発明は、補助翼の前縁直径が、前記補助翼の後縁直径より長くなることを特徴とする羽根車とする。
【００２５】
第４の発明は、主翼を２枚、補助翼を２枚から構成されることを特徴とする羽根車とする。
【００２６】
上記の形態の場合、主翼枚数ｚと回転数Ｎｒｐｍとすると、主翼の間に設けられた補助翼も空力仕事に寄与するので、全体として、翼枚数は２＊ｚ枚と言え、それぞれに空力仕事をするので、空力仕事が分散させるので、翼１枚当たりの翼面上の圧力変動のレベルが小さくなり、回転騒音Ｎｚ音のレベルは、乱流騒音のレベルより低く、聴感も良好である。
【００２７】
補助翼の半径方向長さが主翼の半径方向長さより短く、且つ、補助翼の羽根高さが主翼の羽根高さより低いので、主翼から発生する翼端渦に補助翼が、干渉することがなく、羽根車としての騒音も低くできる。
【００２８】
主翼、補助翼ともに、前縁を回転方向の螺旋形状にすることにより、主翼間の流れ場に障害を与えることなく、円滑な流れ場を形成することができる。すなわち、両翼の前縁は、回転方向の螺旋形状であるが故に、類似の流れ場が形成されて送風性能が悪化することは無い。
【００２９】
補助翼の形状を主翼から切り抜いた形状、すなわち同じプロポーションにすることにより、主翼間の流れ場に障害を与えることなく、円滑な流れ場を形成することができる。類似の流れ場が形成されて送風性能が悪化することは無く、むしろ、最大風量性能は、翼枚数が多いために向上することになる。
【００３０】
前記補助翼の前縁直径が、前記補助翼の後縁直径より長くなることにより、徐々に径が変化するチップ部から放出される乱れた流れが不均一となり、Ｎｚ音の特異周波数が顕著にならなくなる。これらの特性は、２枚の主翼と２枚の補助翼で構成されている羽根車に対して特に顕著な特性が見られる。
【００３１】
ある実施形態において、前記斜流または軸流ファンは、室外ユニットに備えられ、この室外ユニットは空気調和機に搭載される。
【００３２】
以下、本発明の実施の形態について、図面を参照しながら説明する。なお、この実施の形態によってこの発明が限定されるものではない。
【００３３】
（実施の形態１）
図１は本実施の形態におけるファンを備えた空気調和機の室外ユニットの断面図であり、図２は同室外ユニットに搭載されている斜流ファンの斜視図である。図３、図４は、同斜流ファンの正面図、側面図である。
【００３４】
図１に示すように、空気調和機の室外ユニットの本体１０は、吸込口１１と、熱交換器１２と、ファン１と、ファン１を駆動させるファンモータ８と、ファン１を取り囲むオリフィス９と、吹出グリル１３と、空気調和機に必要な圧縮機１４と、それらを分離するための仕切り板１５とから構成されている。ファン１は、羽根（ブレードとも称す）２、とハブ４とで構成されている。
【００３５】
ファンモータ８を駆動することにより、ファン１の回転によって誘引される空気は、まず、吸い込み口１１を経由して、熱交換器１２を通過する。この熱交換器１２で、空気に熱の授受が行われて、ファン１に流れ込む。ファン１で増速および昇圧され、オリフィス９の近傍で最大風速、最大圧力となる。そして、吹出グリル１３を通過して本体１０の外部に放出される。矢印は、概略の空気の流れである。
【００３６】
図２、図３、図４に示すように、２は主翼で、３は補助翼である。主翼２の外周側の弦長２−ＯＵＴ−ＣＯを、主翼２の内周側の弦長２−ＩＮ−ＣＯより長くする。
【００３７】
すなわち、２−ＯＵＴ−ＣＯ  ＞  ２―ＩＮ―ＣＯ
とする。同様に、補助翼３の外周側の弦長３−ＯＵＴ−ＣＯを、補助翼３の内周側の弦長３−ＩＮ−ＣＯより長くする。
【００３８】
すなわち、３−ＯＵＴ−ＣＯ  ＞  ３―ＩＮ―ＣＯ
とする。
【００３９】
主翼の前縁を５−２Ｌ、補助翼の前縁を５−３Ｌとすると、いずれも、半径方向に対して回転方向に前傾した螺旋曲線となる。主翼の半径方向長さを２−Ｒとして、補助翼の半
径方向長さを３−ＲＭとすると、半径方向長２−Ｒは、半径方向長３−ＲＭより大きくなる。
【００４０】
すなわち、２−Ｒ＞３−ＲＭ
となる。
【００４１】
主翼の羽根高さを２−ｈとして、補助翼の羽根高さを３−ｈとすると、羽根高さ２−ｈは、羽根高さ３−ｈより大きくなる。
【００４２】
すなわち、２−ｈ＞３−ｈ
となる。
【００４３】
（実施の形態２）
基本的な本体構成、空気の流れについては、実施の形態１と同様のため、説明を省略する。
【００４４】
本実施の形態を、図３、４を用いて説明する。図３の一点鎖線は、２枚の主翼を軸中心に９０°回転移動させたものである。補助翼の形状は、仮想の主翼（一点鎖線で表示）から切り抜いた形状であり、すなわち同じプロポーションの羽根形状となる。図４は、羽根車のメリディアン（子午面）形状、すなわち回転奇跡面を示す。主翼２は、補助翼３を包含していることが分かる。
【００４５】
羽根設計の考え方として、偶数個の同じ形状の翼を設計して、その半数の翼を同じ補助翼形状として抜き取る。主翼と補助翼が、同じ個数となる。また、主翼の軸を中心に回転コピーすると、補助翼を完全包含する位置がある。すなわち、主翼の回転ピッチ角の中間に位置することになる。
【００４６】
（実施の形態３）
基本的な本体構成、空気の流れについては、実施の形態１と同様のため、説明を省略する。
【００４７】
本実施の形態を、図３、４を用いて説明する。補助翼の前縁半径を３−ＲＬ、後縁半径３−ＲＴ、平均半径３−ＲＭとすると、
３−ＲＬ＞３−ＲＭ＞３−ＲＴ
となる。すなわち、補助翼の前縁直径が、前記補助翼の後縁直径より長くなり、徐々に直径が変化している。
【００４８】
（実施の形態４）
本実施の形態は、主翼を２枚、補助翼を２枚から構成されることを特徴とする羽根車であり、これまでの実施の形態１から３の説明に含まれている。
【００４９】
送風性能を向上させるために、主翼の２枚のみで構成されていることが特に有利な条件である時に、課題となる騒音を緩和させるため、補助翼を２枚配置させるものである。
【産業上の利用可能性】
【００５０】
本発明によれば、騒音を低減するとともに送風性能を向上する斜流または軸受ファンおよびこれを有する室外ユニットが搭載された空気調和機を提供することができる。特に、送風性能が著しく優れているにもかかわらず、騒音が大きい場合、あるいはＮＺ音が大きく実聴感が悪い場合に有効である。すなわち、空気調和機の室外ユニットにおいて、送風性能を劣化させることなく、騒音（ＮＺ音）を提言させる場合に効果がより顕著に得られ
る。
【符号の説明】
【００５１】
１  ファン
２  主翼
３  補助翼
４  ハブ
５  前縁
６  後縁
７  チップ部
８  モータ
９  ケーシング（オリフィス）
１０  室外ユニットの本体
１１  吸込口
１２  熱交換器
１３  吹出グリル
１４  圧縮機
１５  仕切り板
【図１】
2013083158.tif 000003
【図３】
2013083158.tif 000004
【図４】
2013083158.tif 000005
【図２】
2013083158.tif 000006
【図５】
2013083158.tif 000007
【図６】
2013083158.tif 000008
【図７】
2013083158.tif 000009
【図８】
2013083158.tif 000010